(57)【要約】      （修正有）【課題】樋設置工事が簡易で、設置後の振動によるナットの抜けも防止できるたて樋用支持金具を提供。【解決手段】筒状本体の一側に沿って一対の溝形レールを設けたたて樋を所定長さ毎に壁側のアンカーと連結するための手段であって、中央部の連結部の両側部分に窓穴を形成したプレート状本体と、前記窓穴を貫いて延在するボルトユニットと、プレート状本体の上面側に配され前記ボルトユニットのねじ軸を通した座金と、座金より上でねじ軸に螺合したナットを備え、ボルトユニットは、上端部に扁平状の摘み部を有し、中間部位には溝形レールの内寸とほぼ等々の寸法の長辺と溝形レールの入り口溝幅よりも小さい寸法の短辺をもった鍔を前記摘み部の扁平方向と一致させて固定しており、この鍔より下方にねじ軸端を越えて下方に突出する弾性部体を固定しており、前記座金が、鍔の短辺よりも大きな間隔を持ち、窓穴に対して出没可能な回り止め用の一対の突片を有す。【選択図】図５
2009156006.tif 000002
【特許請求の範囲】
【請求項１】
筒状本体の一側に沿って一対の溝形レールを設けたたて樋を所定長さ毎に壁側のアンカーと連結するための手段であって、アンカーに対する連結部を有しこれの両側部分に窓穴を形成したプレート状本体と、前記窓穴を貫いて延在し、上端部に扁平状の摘み部を有し、中間部位には溝形レールの内寸とほぼ等々の寸法の長辺と溝形レールの入り口溝幅よりも小さい寸法の短辺をもった鍔を前記摘み部の扁平方向と一致させて固定しており、この鍔より下方にねじ軸端を越えて下方に突出する弾性部体を固定したボルトユニットと、プレート状本体の上面側に配され前記ボルトユニットのねじ軸を通した座金と、座金より上でねじ軸に螺合したナットを備え、前記座金が、鍔の短辺よりも大きな間隔を持ち、窓穴に対して出没可能な回り止め用の一対の突片を有していることを特徴とするたて樋用支持金具。
【請求項２】
座金の一対の突片が先端面から側面にかけて曲率面となっている請求項１に記載のたて樋用支持金具。
【請求項３】
摘み部は座金およびナットをねじ軸に挿通・螺合後、ねじ軸の端部を扁平加工して構成されている請求項１に記載のたて樋用支持金具。
【発明の詳細な説明】
【技術分野】
【０００１】
本発明はたて樋用支持金具に関する。
【背景技術】
【０００２】
建屋におけるたて樋として、合成樹脂あるいはアルミニウム押出し材を利用したものがある。このたて樋は控えバンドを用いないので、シャープですっきりとした意匠を創成できるので利用が増す傾向にある。
【０００３】
こうしたたて樋は、図１のように、円形断面または角形断面の筒状本体1の一側に、半径方向に突出して先端が内方に水平状に屈曲した一対の溝形レール１０を一体形成しており、前記溝形レールが壁A側に向くように筒状本体１を垂直状に立て、所要の間隔たとえば１２００ｍｍごとに支持機構Ｂにより壁体に連結支持するようになっている。
【０００４】
前記支持機構Ｂは、壁体Aに埋め込まれるグリップアンカーＢ１と、これの先端に取り付けられる支持羽子板Ｂ２と、溝形レール１０の所望位置に固定され、前記支持羽子板Ｂ２と連結される支持金具とから構成される。
【０００５】
従来の支持金具Ｂ３は、簡易支持金具と称されることもあり、図1と図２のように、溝形レール１０に対応する幅を有するとともに長手方向の両端に挿脱用割溝Ｂ３−１０を入れてヨーク状部を形成したプレートＢ３−１と、溝形レール１０の内寸に対応する大きさの頭部を有する六角ボルトＢ３−２と、六角ボルトＢ３−２の雄ねじ軸Ｂ３−２０に嵌まるワッシャーＢ３−３とナットＢ３−４からなっていた。
【０００６】
この支持金具B3は、基本的には、六角ボルトＢ３−２の頭部を下にして溝形レール１０の長手方向端から内部に挿入し、溝形レール１０の中央の開口溝から突出する雄ねじ軸Ｂ３−２０にプレートＢ３−１の挿脱用割溝Ｂ３−１０を横から挿し合わせ、ワッシャーＢ３−３とナットＢ３−４をはめ込み螺合して溝形レールに組付けるようになっており、通常は、図２のように、予め六角ボルトＢ３−２の雄ねじ軸をプレートＢ３−１の挿脱用割溝Ｂ３−１０にはめ、ワッシャーとナットをはめ込み螺合して仮組立し、この状態で溝形レール１０に組み込み使用している。
【０００７】
しかし、第１に溝形レール１０の長手方向端部つまり単位長さのたて樋１の端部から挿入しなければならないので、作業性が悪く、支持に必要な支持金具の数を誤って少なくしたり、多くし過ぎたりした場合にやり直しが困難である。
第２に支持金具Ｂ３は支持羽子板との連結のため、所要の間隔ごとに溝形レール１０に位置固定することが必要であり、このためには溝形レール１０に仮止めし、その状態を保ちながら溝形レール１０そってスライドすることが必要であるが、六角ボルトＢ３−２の雄ねじ軸に対するナットＢ３−４の回動具合で六角ボルトＢ３−２の頭部下面と溝形レールの水平部内面との接触圧で固定力を調整していた。
【０００８】
このため、調整が微妙なものとなり、緩めすぎにより仮止め作用が乏しくなってプレートＢ３−１がスライドし、その際に下向きの挿脱用割溝Ｂ３−１０から六角ボルトＢ３−２の雄ねじ軸が離脱して溝形レール１０内で落下してしまったり、調整の際にナットＢ３−４が雄ねじ軸から外れてしまったりするトラブルが多くなる。
また、固定後２〜３年経過すると、種々の外部からの振動等により雄ねじ軸に対してナットＢ３−４が緩み、ナットＢ３−４が脱落して溝形レール１０に対する連結金具Ｂ３の不完全固定が発生する危険があった。
【発明の開示】
【発明が解決しようとする課題】
【０００９】
本発明は前記のような問題点を解消するためになされたもので、その目的とするところは、たて樋の所望位置で溝形レールにセットし、ワンタッチで仮止めを行うことができ、仮止め状態を維持したまま支持羽子板との連結位置に移動してしっかりと溝形レールに本固定することができ、これにより簡易、迅速なたて樋設置工事を可能とし、また、設置後の振動によるナットの抜けも阻止することが可能な実用的なたて樋用支持金具を提供することにある。
【課題を解決するための手段】
【００１０】
上記目的を達成するため本発明は、筒状本体の一側に沿って一対の溝形レールを設けたたて樋を所定長さ毎に壁側のアンカーと連結するための手段であって、アンカーに対する連結部を有しこれの両側部分に窓穴を形成したプレート状本体と、前記窓穴を貫いて延在し、上端部に扁平状の摘み部を有し、中間部位には溝形レールの内寸とほぼ等々の寸法の長辺と溝形レールの入り口溝幅よりも小さい寸法の短辺をもった鍔を前記摘み部の扁平方向と一致させて固定しており、この鍔より下方にねじ軸端を越えて下方に突出する弾性部体を固定したボルトユニットと、プレート状本体の上面側に配され前記ボルトユニットのねじ軸を通した座金と、座金より上でねじ軸に螺合したナットを備え、前記座金が、鍔の短辺よりも大きな間隔を持ち、窓穴に対して出没可能な回り止め用の一対の突片を有していることを特徴としている。
【発明の効果】
【００１１】
本発明は、摘み部の扁平方向をプレート状本体の長手方向に向ければ鍔の長辺も同じ方向に向き、短辺の幅は溝形レールの入口溝幅よりも小さいので、溝形レールの所望の部位にプレート状本体を当接させるだけでボルトユニットが溝形レール内に挿入され、弾性部体が筒状本体の外面に当接してセットされ、この状態で摘み部をつまんでねじ軸を適度に軸方向に押しながら時計方向に９０度回動すれば、鍔の長辺が溝形レールの内寸に達し、溝形レールの入り口溝の下面に対峙し、仮止め状態となる。
【００１２】
このときに座金突片が鍔の短辺を左右からガードして回り止めし、かつ弾性部体がねじ軸を上方に付勢し鍔を入口溝の下面に押し付けるので的確な滑落防止が図られ、したがって、プレート状本体のブラケットをつまんで溝形レールに沿ってスライドすれば仮止め状態のままアンカーと正対する位置に配置することができる。そして、この位置でナットを回動してねじ軸を引っ張ることにより連結金具は強固に溝形レールに固定される。したがって、たて樋設置工事を簡易迅速に行なうことができる。
摘み部の扁平方向の向きがプレート状本体の長手方向と直角方向にあり、かつ、座金の浮き上がりがないことが確認されれば、連結金具が強固に溝形レールに固定されたことを意味するので、工事の適否の判定も容易である。
【発明を実施するための最良の形態】
【００１３】
座金の一対の突片が先端面から側面にかけて曲率面となっている。
これによれば、摘み部の扁平方向をプレート状本体の長手方向に向け鍔の長辺も同じ方向に向けて溝形レール内に挿入したときに座金の一対の突片の下端面が鍔の上面に当接するが、接触面積が少なく、かつ、仮止めのために摘み部・軸部を９０度回転したときに、鍔が突片の曲率面に沿って回転していくので、スムーズに鍔を９０度向きを変えて長辺を溝形レールの内寸に到らせることができる。
また、外すときにも、摘み部を回転させると曲率面に沿って鍔が戻り、そのときに梃子の作用で突片を押し上げるので、このときの操作も容易となる。
摘み部は座金およびナットをねじ軸に挿通・螺合後、ねじ軸の端部を扁平加工して構成されている。これによれば、確実に鍔の向きと摘み部の向きとを一致させることができるとともに、ナットを緩め側に回動しても摘み部の幅によって抜け止めされるので、誤操作や緩みによるナットの脱落を完全に防止できる。
【実施例１】
【００１４】
以下添付図面を参照して本発明の実施例を説明する。
図３と図４は本発明を適用したたて樋完成状態を示しており、B1は壁体Aに埋め込まれるグリップアンカー、B２はグリップアンカーの先端に取り付けられる中間部材としての支持羽子板、Cはたて樋本体１と一体の溝形レール１０の所定位置に固定され、前記支持羽子板B2とボルトナットで連結された本発明にかかる樋用支持金具である。
溝形レール１０は、たて樋本体１の外周から半径方向に延出するウエブ１００とこれの先端から内方水平方向に屈曲したフランジ１０１を有する一対の突片からなっており、フランジ１０１、１０１間に入口溝１０２が形成され、ウエブ１００、１００間が入口溝１０２より幅の広い係止用の内寸となっている。
【００１５】
本発明にかかる樋用支持金具Cは、溝形レール１０の幅と同程度の幅を有し、長手方向中央位置にアンカーに対する連結部２０を有するプレート状本体２と、連結部２０をはさんで前後のプレート状本体幅方向中央線上に設けた長方形状の窓穴21,21を貫通するごとく組み付けられたボルトユニット3，3と、プレート状本体2の表面上に配され各ボルトユニット3のねじ軸をはめた座金4と、座金4の上においてボルトユニット3のねじ軸と螺合したナット5とを備えている。連結部２０は、この実施例では、ボルトと通し孔を有するヨーク状のブラケットから構成されている。
【００１６】
図５ないし図８は上記樋用支持金具Ｃの詳細を示しており、ボルトユニット3は、図７のように、たとえば全長が25mmのねじ軸30を有し、このねじ軸30は、下端からたとえば3〜4mmの位置まで外周にリング溝を有する太径部３０ａを有している。この太径部３０ａに、たとえばコイルスプリングからなる弾性部体６の上端領域が嵌合固定されており、弾性部体６は太径部３０ａよりも下方に大きく延在している。
【００１７】
太径部３０ａの直上には、溝形レール10の内寸とほぼ等々の寸法の長辺Lと溝形レール10の入口溝102の幅よりも小さい寸法の短辺Wを有する厚さ2〜3mm程度の鍔７が中心をもって嵌着固定されており、該鍔7の上には12〜13mmの長さの雄ねじ３０ｂが設けられ、この雄ねじ30ｂの終端に長さ6〜8mm程度で雄ねじよりも径の細い短軸３０cが形成されている。
【００１８】
前記ボルトユニット3は、図５のように、プレート状本体2の下面より下方に鍔31が位置するように窓穴21に貫挿され、雄ねじ３０bに座金４とナット５が組み込まれ、そして、その後に前記短軸３０ｃが図７（ｂ）の実線で示すような丸軸の状態からプレス加工され、図７（ｂ）の仮想線や図５の実線で示すような扁平な摘み部３２が形成される。この摘み部３２は、幅が雄ねじ３０bの直径よりも拡大されるので、ナット５の抜け止めとしても機能する。
この摘み部３２は扁平の向き（幅面）が前記鍔７の長辺Lの向きと一致しており、摘み部３２の扁平面がプレート状本体2の長手方向と平行状にあるときには、鍔７の長辺Lもプレート状本体2の長手方向と平行状すなわち、溝形レール１０の溝長手方向と平行状となる関係に構成されている。
【００１９】
座金４は図８に単体を示すように、窓穴２１を越えてプレート状本体2の幅方向に接触しえる長さを有し、中央に雄ねじ３０bを挿通する穴４０を有するとともに、鍔７の短辺Ｗよりも大きな間隔で対峙し、窓穴２１に対して出没可能な回り止め用の一対の突片４１，４１を有しており、突片４１，４１を含めた全体が下向きコ状となっている。
突片４１，４１は座板面に対してたとえば５〜６ｍｍ程度の長さを有し、先端面から側面にかけて曲率面４１０が形成されている。曲率面４１０は２つの突片に対称的に形成されている。
【００２０】
次に本発明の使用法と作用を説明すると、図９と図１０は樋用支持金具Ｃをたて樋にセットする状態を示しており、このときには摘み部３２をプレート状本体2の長手方向と平行に向けておくもので、ボルトユニット3の鍔７は前記摘み部３２と特定な方向付けがなされており、短辺Ｗが上下つまり長辺Ｌがプレート状本体2の長手方向と平行にされるので、図９（ａ）の状態から溝形レール10に向けて樋用支持金具Ｃを押し当てれば、入口溝１０２からボルトユニット3、3がスムーズに内挿され、弾性部体６の先端がたて樋本体１の外面に当接することでセットが確認される。このセット時には座金４の一対の突片４１，４１は鍔７の上面に当接する。
本発明の樋用支持金具Ｃは鍔７が溝形レール10の入口溝１０２よりも狭い短尺部分を有しているので、たて樋本体１のエンドに限らずどのような位置においても自在に装填しセットすることができる。
【００２１】
ついで、摘み部３２を軸方向に押圧しながら９０度時計方向に回動する。これで図１１および図１２に示す仮止め状態となる。詳述すると、摘み部３２の押し回転により弾性部体６が圧縮され、その反発力で鍔７が押し上げられる。それと同時に摘み部３２の操作により鍔７を含むねじ軸30の全体が回動し、鍔７は長辺Ｌが入口溝１０２とクロスして溝形レール10の内寸に至り、前記した弾性部体６よる押圧力で溝形レール10のフランジ１０１、１０１の下面に固定させる。
これにより樋用支持金具Ｃは仮止め状態となるが、バネ力による固定であるから、プレート状本体2を持って溝形レール10の長手方向にスライドさせることができ、壁側のグリップアンカーB1と支持羽子板B2にブラケット２０に正対する位置に容易に位置決めすることができる。
【００２２】
前記座金４の突片４１，４１は間隔が鍔７の長辺Ｌよりも短いので、セット時には鍔７の上面に当接していたが、その当接は曲率面４１０による当接であるから、前記のような摘み部３２の操作により鍔７を含むねじ軸全体を回動するときに鍔７の上面に食い込んだりせず、鍔７をスムーズに回動させることができ、図１２（ａ）のように回動した鍔７の短辺を囲む。
これにより鍔７は回り止めが図られ、ナット５は締付けられていないので、座金4とプレート状本体2間には遊びがあるが、上述のように樋用支持金具Ｃを溝形レール10に沿って動かしても鍔７を含むねじ軸３０が回転せず安全である。  
【００２３】
そして上記のように位置決めが完了したならば、ナット５をスパナ等により回転させ、締め付けを行なう。これにより座金４は押圧され浮き上がりやガタ付きがなくされ、ねじ軸３０は牽引されて鍔７は上面が溝形レール10のフランジ１０１、１０１の下面に強接され、ユニットの強固な固定が図られる。
この状態が図３と図４であり、連結部２０にこの例では支持羽子板がボルト止めされ、壁のアンカーに連結される。
弾性部体６よる押圧力が以後も維持されるので長期にわたって緩みが生じず、また、ナット５が緩み側に回転されても摘み部３２がナットの雌ねじ径より大きいので、ナット５が外れない。したがって、長期にわたって、確実にたて樋と支持することができる。
【００２４】
樋用支持金具Ｃは、壁とたて樋の溝形レール10間の通常5ｃｍ程度の間隔に配されて、仮止め、本固定が行なわれる。これらが的確に行われたかどうかについて、本発明では、摘み部３２の向きと、座金４の浮き上がりの有無で判定することができるので、工事の適否確認が容易である。
本発明の樋用支持金具Ｃは、たて樋のどの位置においてもセット・仮止め・本固定を行なえるので、既存の支持金具を使用して工事されたたて樋において、ある間隔に支持金具が配されず、壁側と連結固定が行なわれていないような場合の補修工事にも的確に利用することができる。
【００２５】
本発明は、たて樋が断面円形でなく角形である場合にも適用される。また、壁側のアンカーとの連結構造は支持羽子板B2による場合の限定されるものではない。たとえばターンバックル式連結などでもよく、この場合は、連結部２０は本体２に基端部が空転可能に連結されたボルトが用いられ、支持羽子板Ｂ２に代えてナットが用いられる。
プレート状本体２は、板金加工板に限らずダイカスト成形品などであってもよい。
【産業上の利用可能性】
【００２６】
本発明はたて樋と壁との連結に好適であるが、それに限らず、溝形レールに対してセットし、仮止めし、溝形レールに沿って移動し、本締め固定し、プレート状本体を他物と連結したり、支えたり、保持したりすることが要求される種々の用途に適用できる。
【図面の簡単な説明】
【００２７】
【図１】（ａ）は従来のたて樋施工状態の斜視図、（ｂ）は従来の樋用支持金具の使用状態の斜視図、（ｃ）は施工状態の横断面図である。
【図２】従来の樋用支持金具のセット時の状態を示す斜視図である。
【図３】本発明による樋用支持金具の施工状態を示す部分切欠側面図である。
【図４】（ａ）は図３の横断面図、（ｂ）は座金の側面を併示した横断面図である。
【図５】本発明の本発明による樋用支持金具の部分切欠側面図である。
【図６】（ａ）はプレート状本体の平面図、（ｂ）は縦断側面図である。
【図７】（ａ）はボルトユニットの平面図、（ｂ）はボルトユニットの側面図である。
【図８】（ａ）は座金の平面図、（ｂ）は縦断側面図、（ｃ）は正面図である。
【図９】（ａ）は本発明樋用支持金具をたて樋の溝形レールにセットするときの斜視図、（ｂ）はその正面図である。
【図１０】（ａ）はセット状態の側面図、（ｂ）は正面図である。
【図１１】（ａ）は仮止め状態の斜視図、（ｂ）は正面図である。
【図１２】（ａ）は仮止め状態の部分切欠側面図、（ｂ）は断面図である。
【符号の説明】
【００２８】
１  たて樋本体
２  プレート状本体
３  ボルトユニット
４  座金
５  ナット
６  弾性部体
７  鍔
１０  溝形レール
２０  ブラケット
３０  ねじ軸
３２  摘み部
４１  突片
【図１】
2009156006.tif 000003
【図２】
2009156006.tif 000004
【図３】
2009156006.tif 000005
【図４】
2009156006.tif 000006
【図５】
2009156006.tif 000007
【図６】
2009156006.tif 000008
【図７】
2009156006.tif 000009
【図８】
2009156006.tif 000010
【図９】
2009156006.tif 000011
【図１０】
2009156006.tif 000012
【図１１】
2009156006.tif 000013
【図１２】
2009156006.tif 000014